(57)【特許請求の範囲】
【請求項１】
フイルム出入り口を閉鎖する閉じ位置と開放する開き位置との間で回動自在とされた遮光蓋が組み込まれたフイルムカートリッジが収納されるカートリッジ室の上面に軸支され、該遮光蓋の端部に設けられた切欠状の係合部に係合される駆動軸と、この駆動軸を遮光蓋の閉じ位置と開き位置との間で回動させる駆動機構とからなる遮光蓋回動装置において、
前記駆動軸の先端に、係合部の奥に形成されている穴に挿入されるピンを設け、駆動軸をカートリッジ室上面と遮光蓋とで軸支するようにしたことを特徴とする遮光蓋回動装置。
【請求項２】
前記係合部は、遮光蓋が閉じ位置に回動されて係合部がロックされた際に、遮光蓋を閉じ位置に向けて捩じり付勢する棒状のバネ部を介して遮光蓋の端部に設けられており、前記ピンは該バネ部に沿って進入して、前記穴に挿入されることを特徴とする請求項１記載の遮光蓋回動装置。
【請求項３】
前記ピンと穴とは、駆動軸の回動時にピンの回動力が穴に伝達されるように嵌合されることを特徴とする請求項１又は２いずれか記載の遮光蓋回動装置。
【請求項４】
前記ピンは駆動軸の軸方向に沿って移動自在とされ、ピンと駆動軸との間に設けられたダンパ機構によって駆動軸から突出する方向に付勢されていることを特徴とする請求項１ないし３記載いずれか遮光蓋回動装置。
【発明の詳細な説明】
【０００１】
【発明の属する技術分野】
本発明は、フイルムカートリッジの遮光蓋を開き位置と閉じ位置との間で回動させる回動装置の改良に関するものである。
【０００２】
【従来の技術】
当技術分野で提案され、雑誌「写真工業」（（株）写真工業出版社  1994年12月号  ｐ．11）にも紹介されたＡＰＳ（Advanced Photo System)対応のフイルムカートリッジは、カートリッジ本体にプラスチックが用いられ、さらにフイルム出入り口の遮光に従来のテレンプに代えて、フイルム出入り口を開放する開き位置とフイルム出入り口を閉鎖して遮光する閉じ位置との間で回動自在とされたプラスチック製の遮光蓋が用いられている。
【０００３】
遮光蓋の端部には、フイルムカートリッジの端面から露呈される切欠状の係合部が設けられており、この係合部にカメラ等に組み込まれた駆動軸が係合されて回動されることにより遮光蓋が開閉される。このフイルムカートリッジは、カメラはもちろんのこと小型，軽量であることからレンズ付きフイルムユニットにも用いることが提案されている。
【０００４】
上記フイルムカートリッジが用いられるカメラ及びレンズ付きフイルムユニットでは、カートリッジ室に装填されたフイルムカートリッジの遮光蓋を開き位置と閉じ位置との間で回動させる回動装置が必要となる。この回動装置は、遮光蓋の端部に形成された切欠状の係合部に軸方向から挿入されて係合される駆動軸と、この駆動軸を回動させる駆動機構とからなり、カメラには二方向への回動を行うことができる駆動機構が必要となる。
【０００５】
また、レンズ付きフイルムユニットの場合は、フイルムカートリッジ内の写真フイルムを予め引き出しておき、撮影毎にフイルムカートリッジ内に巻き込んでいく構成であるため、フイルムカートリッジの取出し時に遮光蓋を閉じ位置に向けて回動させる、一方向への回動を行うことができる駆動機構でよい。
【０００６】
【発明が解決しようとする課題】
上記回動装置の駆動軸は、カートリッジ室の底面側にフイルムカートリッジの装填，取出し時に開放される底蓋が設けられることから、カートリッジ室の上面に設けられた穴に回動自在に組み付けられる。このような他部品を駆動する軸がいわゆる片持構造で軸支されていると、軸の捩れや軸支されていない端部のブレが大きくなるが、遮光蓋回動装置の駆動軸に捩れやブレが発生すると、遮光蓋の係合部が切欠形状であることから、回動時に駆動軸が係合部内から逃げてしまい、遮光蓋の回動が不確実なものとなってしまうという問題がある。
【０００７】
本発明は、上記課題を解決するためのもので、駆動軸の回動時の捩れやブレを抑えて、遮光蓋の回動を確実なものとすることを目的とする。
【０００８】
【課題を解決するための手段】
上記問題点を解決するために、請求項１記載の遮光蓋回動装置は、駆動軸の先端に、遮光蓋の係合部の奥に形成されている穴に挿入されるピンを設け、駆動軸をカートリッジ室上面と遮光蓋とで軸支するようにしたものである。これによれば、駆動軸の捩れや先端のブレが抑えられるので、駆動軸の回動力が遮光蓋に適正に伝達され遮光蓋の回動が確実なものとなる。
【０００９】
また、請求項２記載の遮光蓋回動装置は、遮光蓋が閉じ位置に回動されて係合部がロックされた際に、遮光蓋を閉じ位置に向けて捩じり付勢する棒状のバネ部を介して遮光蓋の端部に係合部が設けられている場合、ピンをバネ部に沿って進入させて穴に挿入するようにしたものである。これによれば、捩れやすいバネ部を備えた遮光蓋でも、確実に開閉位置で回動させることができる。
【００１０】
更に、請求項３記載の遮光蓋回動装置は、駆動軸の回動時にピンの回動力が穴に伝達されるように、ピンと穴とを嵌合するようにしたものである。これによれば、遮光蓋は係合軸とピンとから回動力が伝えられるので、遮光蓋の回動がより確実なものとなる。
【００１１】
また、請求項４記載の遮光蓋回動装置は、ピンを駆動軸の軸方向に沿って移動自在とし、ピンと駆動軸との間にピンを駆動軸から突出する方向に付勢するダンパ機構を設けたものである。これによれば、穴の深さの寸法精度に関係なく、ピンは穴の奥まで確実に挿入されるようになる。
【００１２】
【発明の実施の形態】
以下、添付した図面に従って、本発明を実施したレンズ付きフイルムユニットの一形態について説明する。図２に示すように、フイルムカートリッジ２は、プラスチック製の上ケース３と下ケース４とからなるカートリッジ本体５内に、写真フイルム６を巻き付けたスプール７が回動自在に収納されている。
【００１３】
スプール７の両端はカートリッジ本体５の両端面から露呈し、各々係合穴８が形成されている。上下ケース３，４の合わせ目の一方にはフイルム出入り口１０が設けられており、このフイルム出入り口１０を通して写真フイルム６がカートリッジ本体５内に出入りする。このフイルム出入り口１０を開閉するために、フイルム出入り口１０の奥には遮光蓋１１が組み込まれ、その両端はスプール７と同様にカートリッジ本体５の端面から露呈し、各々Ｃ字型の切欠状の係合部１２を有している。
【００１４】
図３に示すように、遮光蓋１２のフイルム出入り口１０に対する部分には板状の遮光部１４が形成されており、フイルム出入り口１０を開放する開き位置と、図４に示すようにフイルム出入り口１０を閉鎖する閉じ位置との間で回動自在とされている。
【００１５】
また、図５に示すように、上ケース３からは遮光蓋１１の回動を阻止するロックピン１６が突設されており、遮光蓋１１が開き位置にあるときには係合部１２の外周面の平面部に沿い、遮光蓋１１が不用意に閉じ位置に回動するのを阻止する。また、遮光蓋１１が閉じ位置にあるときには、図６に示すようにロックピン１６は係合部１２に当接して、不用意に遮光蓋１１が開き位置に回動するのを阻止する。
【００１６】
遮光蓋１１が開き位置から閉じ位置に回動される際には、ロックピン１６は係合部１２に押圧されて変形し、再び弾性によってもとの位置に戻って係合部１２に当接する。また、遮光蓋１１が閉じ位置から開き位置に回動される際には、係合部１２に挿入される軸等によってロックピン１６を押圧して変形させて係合部１２との当接を外し、その状態で開き位置に回動させる。
【００１７】
図１に示すように係合部１２は、弾性を有する棒状のバネ部１９を介して、カートリッジ本体５内を遮光するために端部に形成されたフランジ１８に一体に形成されている。このバネ部１９は、遮光蓋１１が閉じ位置に回動されてロックピン１６が係合部１２に当接されているときに捩じられ、その際の弾性によって遮光蓋１１を更に閉じ位置に押しつけている。
【００１８】
また、係合部１２の奥であるフランジ１８には、係合部１２の下方に穴２０が形成されている。この穴２０は、遮光蓋１１の軽量化と、使用されるプラスチックの減量化のために設けられた肉抜き穴であり、後に詳述する遮光蓋回動装置を構成する駆動軸２２の先端に設けられたピン２３が挿入される。なお、本実施形態では、本来肉抜き穴である穴２０の内周面に二辺の平面部２０ａを設け、ピン２３の回動力が穴２０にも伝達されるようにしている。また、穴２０にはずれた角度で挿入されたピン２３を穴２０内に導くための傾斜面２０ｂが形成されている。
【００１９】
カートリッジ本体５内には特開平６−２６６０５３号公報で知られるようなフイルム送出し機構が内蔵されている。そして、係合部１２を介して遮光蓋１１を開くことによってスプール７の回転ロックが解除され、係合穴８を介してスプール７を図中時計方向に回転させることによって、写真フイルム６がフイルム出入り口１０を通して頭出しされる。
【００２０】
図２に示す符号２５は、写真フイルム６の種別や撮影可能枚数がバーコードで記録されたディスクを示す。このディスク２５はスプール７と一体に回転し、カメラあるいはプリンタに設けられたバーコードリーダーによってデータ内容が読み取られる。
【００２１】
図７は、本発明を用いたレンズ付きフイルムユニットを示すものである。レンズ付きフイルムユニット２７は、予めフイルムカートリッジ２が装填され各種撮影機構が組み込まれたユニット本体２８と、このユニット本体２８を部分的に覆う外装紙２９とから構成されている。ユニット本体２８の上面にはシャッタボタン３０，撮影枚数表示窓３１が、前面にはファインダ３２，撮影レンズ３３，ストロボ充電スイッチ３４，ストロボ発光部３５等が設けられている。外装紙２９は、裏面に接着剤が塗布されてユニット本体２８の中央部分に巻かれるように貼付され、撮影レンズ３３やファインダ３２，撮影枚数表示窓３１等を外部に露呈させる開口が形成されている。
【００２２】
ユニット本体２８は、ユニット本体２８の前面側を形成する前カバー３７と、背面側を形成する後カバー３８と、これら前カバー３７と後カバー３８との間に収められる本体基部３９（図８参照）、及び本体基部３９の前面側に組み付けられる露光ユニット及びストロボユニットとから構成されている。
【００２３】
露光ユニットは、図示しないが従来のレンズ付きフイルムユニットと同様に、シャッタチャージ機構，フイルム巻止め機構，カウンタ送り機構，シャッタ駆動機構及びシャッタ羽根，撮影レンズ３３等を含む他、ファインダ３２を構成する対物レンズと接眼レンズとがユニット化されている。ストロボユニットは、図示しないがストロボ回路が設けられたプリント基板と、これに組み付けられたストロボ発光部３５とからなり、前カバー３７に設けられたストロボ充電スイッチ３４の押圧によってストロボ充電が行われ、シャッタレリーズにシンクロしてストロボ発光が行われる。
【００２４】
図８に示すように、本体基部３９の中央部には、前面側に組み付けられた露光ユニットから写真フイルム６までの間の撮影光路を遮光する遮光筒４１が設けられている。この遮光筒４１を挟む両側には、製造段階でカートリッジ本体５，写真フイルム６がロール状に巻かれたフイルムロール４２が収納される、カートリッジ室４３，フイルムロール室４４が一体に形成されている。
【００２５】
これらのカートリッジ室４３及びフイルムロール室４４内は、本体基部３９の背面側に後カバー３８が組み付けられ、後カバー３８に一体に形成されたカートリッジ室用の底蓋４６（図７参照）と、フイルムロール室用の底蓋（図示せず）とが閉じられることにより、適正な遮光能が得られるようになっている。なお、底蓋４６は、後カバー３８に対して屈曲自在な薄肉部を介して連結されており、使用後のレンズ付きフイルムユニット２７からフイルムカートリッジ２を取り出す際に開放される。
【００２６】
カートリッジ室４３の上面４７には、巻上げダイヤル４８が回動自在に取り付けられ、その下面に一体に設けた巻上げ軸４９がフイルムカートリッジ２のスプール７の係合穴８に係合するようになっている。巻上げダイヤル４８は、シャッタボタン３０の押圧による１コマの撮影ごとに図中反時計方向に回動操作され、巻上げダイヤル４８にロックが掛かるまでのスプール７の回転によって、１コマ分の写真フイルム６がカートリッジ本体５に巻き込まれる。
【００２７】
また、この写真フイルム６の１コマ分の巻き上げによって、パーフォレーション５０に係合された露光ユニットの二歯スプロケットが回動される。露光ユニットではこの二歯スプロケットの回動力を利用して、フイルム巻止め，シャッタチャージ，撮影枚数表示の更新等を行っている。
【００２８】
そして、シャッタボタン３０の押圧による撮影と、巻上げダイヤル４８の回動操作とを繰り返すことによって、写真フイルム６の後端側（スプール７に係止された側）から先端側に向かって順次に撮影が行われる。なお、短い間隔で並んだ２個のパーフォレーション５０をもとにしてフイルム１コマ送り制御が行われるが、実際の撮影コマは仮想線５１で示すようにパーフォレーション５０の長い間隔に合わせた位置に露光されるように決められている。
【００２９】
カートリッジ室上面４７には巻上げダイヤル４８の他に、遮光蓋回動装置を構成する駆動軸及び駆動機構である回動部材５３とバネ５４とが組み付けられる。回動部材５３は、開口５５に挿入されて遮光蓋１１の係合部１２に係合される駆動軸２２と、駆動軸２２の上部で開口５５に嵌入されて回動部材５３を軸支する軸受け部５６（図１参照）と、駆動軸２２の上部に一体に形成されてカートリッジ室４３の上面に配置される係止レバー５７と、バネ５４が組み付けられるバネ保持部５８とから構成されている。バネ５４は回動部材５３を図中反時計方向（遮光蓋１１の閉じ方向）に付勢するもので、このバネ５４の付勢による回動部材５３の反時計方向への回動によって、遮光蓋１１は閉じ位置に回動される。
【００３０】
上記回動部材５３は、バネ５４の付勢に抗して遮光蓋１１の開き位置に保持され、開き位置にある遮光蓋１１の係合部１２に駆動軸２２が係合される。そして、レンズ付きフイルムユニット２７の使用後にフイルムカートリッジ２を取り出す際に、回動部材５３の保持が解除されることによってバネ５４の付勢で遮光蓋１１の閉じ方向に回動され、駆動軸２２に係合された遮光蓋１１も閉じ位置に回動される。このように、回動部材５３を遮光蓋１１の開き位置に保持するとともに、フイルムカートリッジ２を取り出す際に回動部材５３の保持を解除するのが、カートリッジ室４３と遮光筒４１との間に上下方向でスライド自在に組み付けられた棒状の連結部材６０である。
【００３１】
連結部材６０は、カートリッジ室４３と遮光筒４１との間に形成されたガイド溝６２に、上端部６０ａがカートリッジ室上面４７よりも突出された状態で爪部材によって保持される。そして、この上端部６０ａで回動部材５３の係止レバー５７をバネ５４の付勢に抗して押さえることにより、回動部材５３を遮光蓋１１の開き位置に保持する。
【００３２】
また、回動部材５３を保持した状態の連結部材６０は、下端に形成された係合爪６３がカートリッジ室４３の底面を覆う底蓋４６に一体に形成された爪部材（図示せず）に係止される。そして、レンズ付きフイルムユニット２７の使用後にフイルムカートリッジ２を取り出すために底蓋４６を開放すると、底蓋４６の爪部材に係止された連結部材６０が下方に向けてスライドされる。これにより、連結部材６０の上端部６０ａはカートリッジ室上面４７よりも下方に移動されるので、係止レバー５７の保持が外れて回動部材５３はバネ５４の付勢で図中反時計方向に回動される。このときに、駆動軸２２に係合された遮光蓋１１も閉じ位置に回動される。
【００３３】
上記駆動軸２２は、図１及び図９に示すように、係合部１２内に挿入される円形の軸部２２ａと、この軸部２２ａから突出された扇型の押圧部２２ｂとからなり、回動部材５３の回動時に押圧部２２ｂが係合部１２を押圧することによって、遮光蓋１１が閉じ位置に回動される。ピン２３は駆動軸２２の軸部２２ａが下方に延ばされたものであるが、外周面に二辺の平面部２３ａが設けられて遮光蓋１１の穴２０に嵌合されるようになっている。
【００３４】
このように駆動軸２２は、軸受け部５６がカートリッジ室上面４７の開口５５に軸支され、ピン２３が遮光蓋１１の穴２０に軸支されるので、回動時にブレや捩れ等が発生することがなく、確実に遮光蓋１１を閉じ位置に回動できるようになる。また、回動部材５３の回動力は、駆動軸２２の他にピン２３によっても遮光蓋１１に伝達されるので、遮光蓋１１の閉じ位置への回動が更に確実なものとなる。更に、従来ではバネ部１９の捩れによって係合部１２が駆動軸２２から逃げてしまうという不具合もあったが、本発明では解消されている。
【００３５】
なお、上記実施形態では、ピンと遮光蓋の穴との嵌合を確実に行うために、ピンの突出量と穴の深さとの寸法精度を厳密にしなくてはならないが、コスト面等から寸法精度の確保が難しい場合も考えられる。次に説明する実施形態は、ピンと穴との寸法精度を粗くしても嵌合が確実に行われるものである。
【００３６】
図１０に示す回動部材６５では、ピン６６は駆動軸６７に対して別部品として形成されており、上部側にはガイド軸６８が一体に形成されている。このガイド軸６８は駆動軸６７内に形成されたガイド穴６９内にスライド自在に挿入されており、ガイド軸６８とガイド穴６９はピン６６が駆動軸６７に対して回動しないように、断面の形状が円形以外となっている。駆動軸６７の先端とピン６６との間には、ダンパ機構としてピン６６を駆動軸６７の先端から突出する方向に付勢するコイルバネ７０が組み付けられている。
【００３７】
コイルバネ７０は、上部が駆動軸６７の先端に巻き付けられて保持されており、下部がピン６６に巻き付けられてピン６６を保持している。これにより、ピン６６は駆動軸６７から外れずに一体化されるので、回動部材６５の本体基部への組み付けは容易になる。上記駆動軸６７を遮光蓋の係合部に挿入すると、ピン６６はコイルバネ７０に付勢されて穴の底まで挿入されるので、穴の深さの寸法精度が粗くてもピン６６と穴との嵌合は確実なものとなり、駆動軸６７のブレや捩れが解消され、遮光蓋の回動も適正に行われるようになる。
【００３８】
また、図１１に示す回動部材７２駆動軸は、ピン７３と駆動軸７４との間にダンパ機構として屈曲バネ７５を一体に形成したものであり、前記実施形態と同様にピン７３は屈曲バネ７５に付勢されて穴の底まで挿入されるので、遮光蓋の穴の深さの寸法精度が粗くてもピン７３と穴との嵌合は確実なものとなり、駆動軸７４のブレや捩れが解消され、遮光蓋の回動も適正に行われるようになる。
【００３９】
また、上記各実施形態では、ピンと穴とを嵌合させてピンの回動力を穴に伝達するようにしたが、ピンと穴との形状を円形にして挿入するだけでも駆動軸のブレや捩れを防止することはできる。更に、バネ部を介さないで直接に係合部が端部に設けられている遮光蓋でも、本発明の遮光蓋回動装置によってより確実な開閉動作を行うことができる。また、回動方向が一方向であるレンズ付きフイルムユニットの遮光蓋回動装置について説明したが、本発明は回動方向が二方向必要なカメラの遮光蓋回動装置にも用いることができる。
【００４０】
【発明の効果】
以上説明したように、本発明の遮光蓋回動装置は、駆動軸をカートリッジ室上面と遮光蓋との２か所で軸支するようにしたので、回動時の駆動軸にブレや捩れが発生することはなく、確実に遮光蓋を回動させることができるようになる。
【００４１】
また、係合部が棒状のバネ部を介して設けられている場合でも、駆動軸はカートリッジ室上面と遮光蓋との２か所で軸支されるので、バネ部が捩じれても係合部が駆動軸から逃げて係合が外れてしまうようなことはない。
【００４２】
更に、遮光蓋の穴と、これに挿入される駆動軸先端のピンとを嵌合させるようにしたので、ピンと穴との間においても回動力の伝達が行われるようになり、駆動機構の回動力が有効に遮光蓋に伝達されて遮光蓋の回動がより確実なものとなる。
【００４３】
また、ダンパ機構によってピンを駆動軸から突出する方向に付勢するようにしたので、穴の寸法精度が粗くてもピンと穴との嵌合が確実に行われるようになる。
【図面の簡単な説明】
【図１】本発明を用いた駆動軸と遮光蓋の係合部の外観形状を示す斜視図である。
【図２】フイルムカートリッジの外観形状を示す斜視図である。
【図３】遮光蓋閉鎖時の状態を示すフイルムカートリッジの要部断面図である。
【図４】遮光蓋開放時の状態を示すフイルムカートリッジの要部断面図である。
【図５】遮光蓋開放時の係合部及びロックピンの状態を示すフイルムカートリッジの要部断面図である。
【図６】遮光蓋閉鎖時の係合部及びロックピンの状態を示すフイルムカートリッジの要部断面図である。
【図７】本発明を用いたレンズ付きフイルムユニットの外観を示す斜視図である。
【図８】本体基部の外観を示す斜視図である。
【図９】遮光蓋開放時の駆動軸と係合部との係合状態を示す要部断面図である。
【図１０】本発明の別の実施形態を用いた回動部材を示す要部断面図である。
【図１１】更に別の実施形態を用いた回動部材を示す側面図である。
【符号の説明】
２  フイルムカートリッジ
１０  フイルム出入り口
１１  遮光蓋
１２  係合部
１９  バネ部
２０  穴
２２，６７，７４  駆動軸
２３，６６，７３  ピン
２７  レンズ付きフイルムユニット
３９  本体基部
４３  カートリッジ室
４７  カートリッジ室上面
５３，６５，７２  回動部材
５４  バネ
５５  開口
６０  連結部材
７０  コイルバネ
７５  屈曲バネ
【図１】
0003664191.tif 000002
【図２】
0003664191.tif 000003
【図３】
0003664191.tif 000004
【図４】
0003664191.tif 000005
【図５】
0003664191.tif 000006
【図６】
0003664191.tif 000007
【図７】
0003664191.tif 000008
【図８】
0003664191.tif 000009
【図９】
0003664191.tif 000010
【図１０】
0003664191.tif 000011
【図１１】
0003664191.tif 000012